(57)【要約】【課題】  本願発明は、電子機器の背面より突出するバッテリが装着された様々な際を有する電子機器に接続可能な拡張装置を提供することを目的とする。【解決手段】  本体２は上壁３より突出した突出部１３ａ、１３ｂが離間して設けられる。上壁３に設けられたスライド板８は、１対の突出部１３ａ，１３ｂの間をスライド可能であり、１対の規制壁９ａ，９ｂが離間して設けられる。規制壁９ａ，９ｂは電子機器の背面に当接する。スライド板８の上面略中央には開口部１１が設けられており、この開口部１１にはスライド板８のスライドをロック／ロック解除する操作レバー１２が上下に回動可能に設けらる。スライド板８は操作レバー１２をロック解除させた状態で、コネクタ方向にスライドされた第１の位置と１対の突出部１３ａ，１３ｂの間に位置する第２の位置との間でスライド可能である。【選択図】  図１
2005182393.tif 000002
【特許請求の範囲】
【請求項１】
背面より突出するバッテリがそれぞれ実装可能であるとともに互いに異なるサイズを有する複数の電子機器に選択的に接続される拡張装置であって、
前記電子機器が載置可能な上壁を有する本体と、
上記上壁に配置され、上記電子機器が上記上壁に載置されたとき上記電子機器に電気的に接続されるコネクタと、
上記上壁上を前記コネクタに近くづく第１の位置と、前記コネクタより遠ざかる第２の位置との間で選択的に移動可能なスライド板と、
上記電子機器が上記上壁に載置されたとき、上記電子機器の背面に当接するとともに上記バッテリが間に位置するように上記スライド板に離間して設けられる一対の規制壁と、
を具備することを特徴とする拡張装置。
【請求項２】
上記上壁には一対の突出部が設けられ、上記スライド板は上記一対の突出部の間をスライド可能であることを特徴とする請求項１記載の拡張装置。
【請求項３】
上記上壁は上記スライド板の上記第１の位置と上記第２の位置とに対応する位置にはそれぞれ係合部を有し、上記スライド板は上記係合部に係合可能なフックを有していることを特徴とする請求項１記載の拡張装置。
【請求項４】
上記スライド板は、上記フックを上記係合部に係合させるロック位置と上記係合部から係合解除するロック解除位置との間を移動させる操作レバーを有していることを特徴とする請求項３記載の拡張装置
【請求項５】
上記操作レバーと上記フックとは一体に形成されていることを特徴とする請求項４記載の拡張装置。
【請求項６】
上記突出部の少なくとも一方には上記電子機器に使用されるデータ入力用ペンが挿入可能な穴部が設けられえることを特徴とする請求項２記載の拡張装置。
【請求項７】
上記スライド板には載置された上記電子機器のバッテリが載置されることを特徴とする請求項１記載の拡張装置。
【請求項８】
上記上壁には上記スライド板をガイドする一対のガイド溝が設けられ、上記スライド板は上記ガイド溝にガイドされるガイド部材が設けられていることを特徴とする請求項１記載の拡張装置。
【発明の詳細な説明】
【技術分野】
【０００１】
本発明は、電子機器に接続可能な拡張装置に関し、特にサイズの異なる電子機器に選択的に接続可能な拡張装置に関する。
【背景技術】
【０００２】
ノート型パソコンなどの電子機器は、小型軽量で携帯性、運搬性に優れている。しかしノート型パソコンは、小型軽量とするために、デスクトップ型パソコンと比較すると、その拡張性に劣る。拡張性とはプリンタ、モデム、スピーカなどコンピュータの機能拡張であり、これらの周辺機器を接続するためには、それぞれに合った形状のコネクタをノート型パソコンに設けなければならず、小型化が要求されるノート型パソコンではその配置スペースを確保することができないのが現状である。そこで、ノート型パソコンには、現在、機能拡張装置がオプションの別装置として用意され、室内でノート型パソコンを利用する際には、機能拡張装置に接続することにより各種周辺機器を接続し、機能を拡張することができるようになっている。機能拡張装置は、通常ではノート型パソコンの形状に合わせ、１つの機種のノート型パソコンに対して、それぞれ個別に機能拡張装置が用意されているが、近年サイズの異なる２種以上のノート型パソコンを搭載可能な機能拡張装置も開発されている（特許文献１）。
【特許文献１】特開２００３−６７０８５号公報（第１図ないし第７図）
【発明の開示】
【発明が解決しようとする課題】
【０００３】
特許文献１においては、ノート型パソコンの裏面に、拡張装置のレールに沿わせるための凹み溝部を形成する必要があり、小型化への阻害となるばかりでなく、デザイン的にも良好でない。また、近年は電子機器の後方に大型のバッテリが標準バッテリに代わって取り付け可能なものもある。このようなバッテリは電子機器の背面より後方に突出しており、この状態で拡張装置に取り付ける必要があるが、特許文献１に記載の拡張装置では取り付けることが出来ない。
【０００４】
特許文献２においては、電子機器本体の拡張装置用コネクタから背面までのサイズの異なる電子機器には対応可能であるが、電子機器に大容量バッテリ（電子機器背面より突出する）が装着されている場合は完全には対応できない。
【０００５】
そこで、本願発明は、電子機器の背面より突出するバッテリが装着された様々な際を有する電子機器に接続可能な拡張装置を提供することを目的とする。
【課題を解決するための手段】
【０００６】
上記目的を達成するために、請求項１に係る発明では、背面より突出するバッテリがそれぞれ実装可能であるとともに互いに異なるサイズを有する複数の電子機器に選択的に接続される拡張装置であって、前記電子機器が載置可能な上壁を有する本体と、上記上壁に配置され、上記電子機器が上記上壁に載置されたとき上記電子機器に電気的に接続されるコネクタと、上記上壁上を前記コネクタに近くづく第１の位置と、前記コネクタより遠ざかる第２の位置との間で選択的に移動可能なスライド板と、上記電子機器が上記上壁に載置されたとき、上記電子機器の背面に当接するとともに上記バッテリが間に位置するように上記スライド板に離間して設けられる一対の規制壁と、を具備することを特徴とする。
【発明の効果】
【０００７】
本発明の拡張装置は、電子機器の背面より突出するバッテリが装着された様々な際を有する電子機器に接続可能となる。
【発明を実施するための最良の形態】
【０００８】
以下本発明に係る実施の形態を、図面を参照して説明する。
図１は、スライド板が第１の位置にある拡張装置の斜視図である。図２は、スライド板が第２の位置にある拡張装置の斜視図である。図３は、拡張装置の側面図である。
【０００９】
図１、図２及び図３に示すように、電子機器に接続可能な拡張装置１は本体２を有している。本体２は電子機器の載置される上壁３および本体２の左右に位置する左端２ａ、右端２ｂを有している。上壁３には、電子機器の底面に配置された拡張装置用コネクタ（第１のコネクタ  図示せず）に接続可能なコネクタ（第２のコネクタ）４が上方に向かって配置されている。
【００１０】
上壁３にはコネクタ４を挟んで１対の係合部材５ａ、５ｂおよびコネクタ４の前方に位置する係合部材５ｃが配置されている。これら係合部材５ａ乃至５ｃは第２のコネクタ４に電子機器の第１のコネクタが接続された状態で電子機器の底面に係合して、電子機器の接続状態をロックするものである。さらに上壁３には１対のイジェクト部材６ａ，６ｂはコネクタ４を挟んで配置される。このイジェクト部材６ａ、６ｂはイジェクタレバー（図示せず）を操作することで、電子機器の底面をコネクタ４と電子機器のコネクタの嵌合解除方向へ押し出す。このイジェクトレバーの操作に連動し、係合部材５ａ乃至５ｃは電子機器との係合が解除される。さらに上壁３には１対のイジェクト部材６ａ，６ｂに隣接して電子機器とグランド接続される導電部７ａ，７ｂが配置される。
【００１１】
本体２の左端２ａ及び左端２ｂには上壁３より上方に隆起した突出部１３ａおよび１３ｂが離間して設けられている。これら、１対の突出部１３ａ，１３ｂには、例えば載置される電子機器がペン入力方式の電子機器である場合、付属するペンを挿入可能な穴部１４ａ，１４ｂが設けられる。さらにこの突出部１３ａ，１３ｂには拡張装置の機能を操作する操作ボタン（例えば拡張装置の電源ボタン、イジェクトレバーの操作を行う前の電気的処理を行うイジェクトスイッチ）１５ａ，１５ｂが設けられる。
【００１２】
本体２の上壁３には、上壁３上を前後にスライド可能なスライド板８が設けられる。スライド板８は、１対の突出部１３ａ，１３ｂの間をスライド可能なサイズである。スライド板８の左右両端部にはスライド板８より上方に突出する１対の規制壁９ａ，９ｂが離間して設けられる。規制壁９ａ，９ｂは上壁３に載置された電子機器の背面に当接する。スライド板８の上面略中央には開口部１１が設けられており、この開口部１１にはスライド板８のスライドをロック／ロック解除する操作レバー１２が上下に回動可能に設けられている。スライド板８は操作レバー１２をロック解除させた状態で、コネクタ方向にスライドされた第１の位置と１対の突出部１３ａ，１３ｂの間に位置する第２の位置および、この第１の位置と第２の位置との間の第３の位置との間で自由にスライド可能である。本体２にはスライダ板８を第１乃至第３の位置で操作レバーが嵌合可能な後述する複数の係合部が設けられている。
【００１３】
図４は、第１図の断面線ＡＡにおける断面図である。図５は、第４図のＢの拡大図である。
図１及び図４に示すようにスライド板８は上壁３に設けられた１対のガイド溝１６ａ，１６ｂ及び１対のガイド溝１７ａ，１７ｂにガイドされて、第１の位置と第２の位置との間をスライド可能になっている。
【００１４】
図５には１対のガイド溝１６ａ，１６ｂ及び１対のガイド溝１７ａ，１７ｂのうち片方のガイド溝１６ｂ、および１７ｂについて説明する。上壁３にはガイド溝１６ｂ、１７ｂが設けられている。スライド板からは下方に延びるボス１９ａが設けられている。ボス１９ａにはガイド部材１９ｂがネジ２２二より固定されている。上壁３の内面にはガイド部材１９ｂをガイドするための１対の規制リブ２０ａ，２０ｂが本体２の前後方向に延びて形成されている。リブ２０ａ，２０ｂはスライド板８が前後にスライドされる際ガイド部材１９ｂをガイドする。ガイド溝１６ｂの下方にはガイド部材１９ｂを下方より支持する支持部材２１が設けられている。支持部材２１はリブ２０ａ，２０ｂと略同じ長さ本体２の前後に延びている。
【００１５】
規制壁９ｂはスライド板８よりも下方に延び、ガイド溝１７にガイドされる突出部１８を有している。スライド板８が前後にスライドされる際、突出部１８はガイド溝１７ｂにガイドされる。載置３の下方には支持部材２１等を支持する支持板２４が設けられており、指示板２４と上壁３との間隙意は上壁３より下方に突出するリブ２３により維持されている。これにより上壁３に電子機器が載置された際もスライド板８の押し下げを規制する。
【００１６】
図６は、第１図の断面線ＣＣにおける断面図である。図６に示すように、スライド板８は開口部１１を有しており、開口部１１には操作レバー１２が配置されており、この操作レバー１２は軸２８を０中心に上下に回動可能にスライド板８に支持されている。操作レバー１２は、操作部２５を有している。操作部２５からは一体的に下方に延びる腕部２６が形成されており、腕部２６の先端にはフック２７が一体的に形成されている。フック２７にはテーパー状に形成され係合面２７ａが形成されている。上壁３にはフック２７が入り込む係合部３ａ、３ｂ、３ｃが形成されている。それぞれの係合部３ａないし３ｃには操作レバー１２のテーパー面２７ａに係合する係合面２９ａ、２９ｂ、２９ｃが形成されている。図６に示すようにフック２７が係合部３ａないし３ｃのいずれかに係合されている状態（ロック位置）において、操作部２５はスライド板８の上面と略面一状態となる。
【００１７】
図７は、操作レバーを解除した状態を示す断面図である。図７に示すように操作部２５を下方（上壁３方向）に押すと、操作レバー１２は軸２８を中心に回動され、フック２７は係合部３ａより離脱するロック解除状態（ロック解除位置）となる。この状態において、スライド板８は本体２の前後方向にスライドされる。なお、操作レバー１２から延びる腕部２６は操作レバー１２の左右両端に一対設けられており、係合部３ａ，３ｂ，３ｃはそれぞれ一対設けられている。なお、係合部２８は本実施の形態においては前後方向に３箇所設けられているが、さらに係合部を細かく設けても良い。
【００１８】
図８は、第１のサイズの電子機器を接続した状態を示す平面図である。図９は、第１のサイズの電子機器を接続した状態の拡張装置の側面図である。この電子機器３０は、底面に配置されているコネクタから電子機器の背面３１までの距離が小さいものである。また、電子機器３０の背面３１には標準バッテリよりも容量の大きい大容量バッテリ４０が取り付けられている。図示しない標準バッテリは通常、電子機器３０の背面３１と略面一状態となるが、大容量バッテリの場合背面３１よりも後方に突出した状態となる。スライド板８は本体２の最も前方にスライドされた状態（第１の位置）にロックされる。この状態で電子機器３０が本体２に載置されると、背面３１は１対の規制壁９ａ，９ｂがストッパとなり電子機器のコネクタ及びコネクタ４の嵌合の位置合わせが容易となる。さらに背面より突出しているバッテリ４０は１対の規制壁９ａ，９ｂの間に介在する形となる。
【００１９】
次に図８で説明した電子機器よりも、コネクタから背面までの距離が大きい電子機器を接続する際について説明する。図１０は、第２のサイズの電子機器を接続した状態を示す平面図である。図１１は、第２のサイズの電子機器を接続した状態の拡張装置の側面図である。図１０及び図１１に示すように、操作レバー１２によりスライド板８のロックを解除し、スライド板８を本体２の後方にスライドさせ１対の突出部１３ａ、１３ｂの間に位置させる（第２の位置）。この場合も１対の規制壁９ａ，９ｂが電子機器５０の背面５１に当接し、電子機器のコネクタとコネクタ４との嵌合の位置あわせを容易にする。この場合も同様に、電子機器５０の背面５１より突出している大容量バッテリ４１は１対の規制壁間に介在されている。
【００２０】
本発明ではその主旨を逸脱しない範囲であれば、上記の実施形態に限定されるものではない。
【図面の簡単な説明】
【００２１】
【図１】スライド板が第1の位置にある拡張装置の斜視図。
【図２】スライド板が第２の位置にある拡張装置の斜視図。
【図３】拡張装置の側面図。
【図４】第１図の断面線ＡＡにおける断面図。
【図５】第４図のＢの拡大図。
【図６】第１図の断面線ＣＣにおける断面図。
【図７】操作レバーを解除した状態を示す断面図。
【図８】第１のサイズの電子機器を接続した状態を示す平面図。
【図９】第１のサイズの電子機器を接続した状態の拡張装置の側面図。
【図１０】第２のサイズの電子機器を接続した状態を示す平面図。
【図１１】第２のサイズの電子機器を接続した状態の拡張装置の側面図。
【符号の説明】
【００２２】
１…拡張装置、２…本体、３…上壁、４…コネクタ、５ａ、５ｂ，５ｃ…係合部材、６ａ、６ｂ…イジェクト部材、７ａ，７ｂ…導電部、８…スライド板、９ａ，９ｂ…規制壁、１１…開口部、１２…操作レバー、１３ａ，１３ｂ…突出部、１６ａ，１６ｂ，１７ａ，１７ｂ…ガイド溝、１８…突出部、１９ａ…ボス、１９ｂ…ガイド部材、２０ａ，２０ｂ…規制リブ、２１…支持部材、２３…リブ、２５…操作部、２６…腕部、２７…フック、２７ａ…係合面、３ａ，３ｂ，３ｃ…係合部、２９ａ，２９ｂ，２９ｃ…係合面、３０，５０…電子機器、３１，５１…背面、４０，４１…バッテリ
【図１】
2005182393.tif 000003
【図２】
2005182393.tif 000004
【図３】
2005182393.tif 000005
【図４】
2005182393.tif 000006
【図５】
2005182393.tif 000007
【図６】
2005182393.tif 000008
【図７】
2005182393.tif 000009
【図８】
2005182393.tif 000010
【図９】
2005182393.tif 000011
【図１０】
2005182393.tif 000012
【図１１】
2005182393.tif 000013